(57)【要約】    【課題】地震または津波等の自然災害が発生した旨の災害情報について警報発報を行う際の視聴性、居住者の安全性および避難誘導の利便性をそれぞれ高めるとともに、近隣に出没した変質者等の不審者からの居住者の保護による安全性および防犯性をそれぞれ高める。    【解決手段】玄関子機１との間で通話を成立させるために使用される居室親機２の親機スピーカ２０１から警報音を鳴動させるとともに、基本情報または詳細情報をモニタ２００に表示させることにより、外部ネットワークＬ2を経由して伝送されてくる地震情報Ｓ1または津波情報Ｓ2等の自然災害の警報発報を行う。また、地震または津波等の自然災害が発生した場合、点火機器５を消火させて火事の発生を未然に防止するとともに、照明灯６の点灯、ブラインド７の上昇、電気錠８の解錠等を行う。さらに、近隣に変質者等の不審者が出没した場合、照明灯の消灯、ブラインドの下降、電気錠の施錠等を行う。  【選択図】図１
2007293667.tif 000002
【特許請求の範囲】
【請求項１】
玄関に設置された玄関子機（１）から住戸内に設置された居室親機（２）を呼び出して、前記玄関子機の子機マイク（１０２）および子機スピーカ（１０３）と前記居室親機の親機マイク（２０２）および親機スピーカ（２０１）との間で音声信号を送受信して通話を成立させるインターホンシステムであって、
前記居室親機は、前記居室親機に接続されている外部ネットワーク（Ｌ2）を経由して地震情報（Ｓ1）または津波情報（Ｓ2）等の災害情報を受信すると、前記親機スピーカから警報音を鳴動させて警報報知するためのＣＰＵ（２０６）を備えたことを特徴とするインターホンシステム。
【請求項２】
前記ＣＰＵは、前記地震情報または前記津波情報を受信すると、ガスおよび／または電熱の供給遮断信号等の消火用信号（Ｓ3）を出力することを特徴とする請求項１記載のインターホンシステム。
【請求項３】
前記ＣＰＵは、前記地震情報または前記津波情報等の災害情報を受信すると、照明灯（６）の点灯、ブラインド（７）の上昇、電気錠（８）の解錠等の避難用信号（Ｓ4、Ｓ5、Ｓ6）を出力することを特徴とする請求項１または請求項２記載のインターホンシステム。
【請求項４】
前記玄関子機に備えられたカメラ（１０１）と、前記玄関子機のカメラにて撮像された映像を出画するモニタ（２００）が備えられた前記居室親機とを有するテレビドアホンであって、
前記ＣＰＵは、前記地震情報または前記津波情報等の災害情報を受信すると、前記受信された情報の基本情報を前記モニタに表示するとともに、居住者が前記居室親機の親機操作部（２０３）を操作することにより、前記受信された情報の詳細情報を前記モニタに表示することを特徴とする請求項１乃至請求項３のうち何れか１項記載のインターホンシステム。
【請求項５】
玄関に設置された玄関子機（１）から住戸内に設置された居室親機（２）を呼び出して、前記玄関子機の子機マイク（１０２）および子機スピーカ（１０３）と前記居室親機の親機マイク（２０２）および親機スピーカ（２０１）との間で音声信号を送受信して通話を成立させるインターホンシステムであって、
前記居室親機は、当該居室親機に接続されている外部ネットワーク（Ｌ2）を経由して近隣不審者情報（Ｓ7）を受信すると、照明灯（６）の消灯、ブラインド（７）の下降、電気錠（８）の施錠等の居住者保護用信号（Ｓ8、Ｓ9、Ｓ10）を出力するためのＣＰＵ（２０６）を備えたことを特徴とするインターホンシステム。
【発明の詳細な説明】
【技術分野】
【０００１】
本発明は、玄関子機からの呼び出しに応答した居室親機が当該玄関子機との間で通話を成立させることができるインターホンシステムに係り、特に、地震または津波等の自然災害が発生した旨の災害情報、或いは近隣に変質者等の不審者が出没している旨の近隣不審者情報を、居室親機にて警報発報することができるインターホンシステムに関する。
【背景技術】
【０００２】
従来から、センターからの情報、例えば、「地震発生」、「避難警告」等の緊急時のメッセージ情報を、所定のエリア内の複数の家庭に同報配信することができる情報伝送システムが開示されている（例えば、特許文献１を参照。）。
【０００３】
【特許文献１】特開２０００−１２３２７５号（段落番号「００３０」乃至「００３３」「００３９」、「００４０」、第３図）
【発明の開示】
【発明が解決しようとする課題】
【０００４】
背景技術に記載した特許文献１の情報伝送システムによれば、センターからの緊急時のメッセージ情報を情報端末装置へと確実に伝送することができる。しかしながら、緊急時のメッセージ情報を受信した情報端末装置が有する機能として、火災の発生の防止、住戸内に在室中の居住者にとって必要とされる避難路の確保、さらには近隣に出没した変質者等の不審者からの居住者の保護といった各種の機能を有効とする機能が何ら備えられていなかった。
【０００５】
本発明は、この難点を解消するためになされたもので、地震または津波等の自然災害が発生した旨の災害情報について警報発報を行う際の視聴性、居住者の安全性および避難誘導の利便性をそれぞれ高めるとともに、近隣に出没した変質者等の不審者からの居住者の保護による安全性および防犯性をそれぞれ高めたインターホンシステムを提供することを目的としている。
【課題を解決するための手段】
【０００６】
前述の目的を達成するため、本発明の第１の態様であるインターホンシステムは、玄関に設置された玄関子機から住戸内に設置された居室親機を呼び出して、玄関子機の子機マイクおよび子機スピーカと居室親機の親機マイクおよび親機スピーカとの間で音声信号を送受信して通話を成立させる当該システムである。居室親機は、当該居室親機に接続されている外部ネットワークを経由して地震情報または津波情報等の災害情報を受信すると、親機スピーカから警報音を鳴動させて警報発報するためのＣＰＵを備えたものである。
【０００７】
また、本発明の第２の態様であるインターホンシステムは、本発明の第１の態様において、（居室親機の）ＣＰＵは、地震情報または津波情報等の災害情報を受信すると、ガスおよび／または電熱の供給遮断信号等の消火用信号を出力するものである。
【０００８】
また、本発明の第３の態様であるインターホンシステムは、本発明の第１の態様または第２の態様において、（居室親機の）ＣＰＵは、地震情報または津波情報等の災害情報を受信すると、照明灯の点灯、ブラインドの上昇、電気錠の解錠等の避難用信号を出力するものである。
【０００９】
また、本発明の第４の態様であるインターホンシステムは、本発明の第１の態様乃至第３の態様において、玄関子機に備えられたカメラと、玄関子機のカメラにて撮像された映像を出画するモニタが備えられた居室親機とを有するテレビドアホンである。（居室親機の）ＣＰＵは、地震情報または津波情報等の災害情報を受信すると、受信された情報の基本情報をモニタに表示するとともに、居住者が居室親機の親機操作部を操作することにより、受信された情報の詳細情報をモニタに表示するものである。
【００１０】
また、本発明の第５の態様であるインターホンシステムは、玄関に設置された玄関子機から住戸内に設置された居室親機を呼び出して、玄関子機の子機マイクおよび子機スピーカと居室親機の親機マイクおよび親機スピーカとの間で音声信号を送受信して通話を成立させる当該システムである。居室親機は、当該居室親機に接続されている外部ネットワークを経由して近隣不審者情報を受信すると、照明灯の消灯、ブラインドの下降、電気錠の施錠等の居住者保護用信号を出力するためのＣＰＵを備えたものである。
【発明の効果】
【００１１】
本発明の第１の態様であるインターホンシステムによれば、玄関子機との間で通話を成立させるために使用される居室親機の親機スピーカから警報音を鳴動させることにより、外部ネットワークを経由して伝送されてくる災害情報の警報発報を行うことができ、住戸内に在室中の居住者にとっては、地震または津波等の自然災害が発生したことの確認が聴覚を通じて容易となる。
【００１２】
また、本発明の第２の態様であるインターホンシステムによれば、地震または津波等の自然災害が発生した場合、ガスおよび／または電熱を使用した火の使用を停止することにより、火事の発生を未然に防止でき、住戸内に在室中の居住者にとっては、安全性が高められる。
【００１３】
また、本発明の第３の態様であるインターホンシステムによれば、地震または津波等の自然災害が発生した場合、照明灯の点灯、ブラインドの上昇、電気錠の解錠等を行うことにより、住戸内に在室中の居住者にとっては、避難路が確保されて避難誘導の利便性が高められる。
【００１４】
また、本発明の第４の態様であるインターホンシステムによれば、地震または津波等の自然災害が発生した旨の災害情報の基本情報を、画面サイズが比較的小さいとされる居室親機のモニタに視認性の高い状態で表示させることができるばかりでなく、モニタの表示を基本情報から詳細情報に切り替えることができ、住戸内に在室中の居住者にとっては、住戸内に在室中の居住者にとっては、地震または津波等の自然災害が発生したことの確認が視覚を通じて容易となる。
【００１５】
さらに、本発明の第５の態様であるインターホンシステムによれば、近隣に変質者等の不審者が出没している場合、照明灯の消灯、ブラインドの下降、電気錠の施錠等を行うことにより、住戸内に在室中の居住者にとっては、不審者から保護されて安全性が高められるばかりでなく、防犯性が高められる。
【発明を実施するための最良の形態】
【００１６】
以下、本発明のインターホンシステムを適用した最良の実施の形態例について、図面を参照して説明する。
【００１７】
図１は、本発明の実施例によるインターホンシステムの全体構成を示すシステム説明図である。
【００１８】
図１に示すインターホンシステムは、玄関（住戸玄関と同意。）に設置され、来訪者が住戸内に在室中の居住者を呼び出して通話を成立させるための玄関子機１と、住戸内に設置され、子機／親機ラインＬ1を経由して接続された玄関子機１からの呼び出しを報知し、この呼び出しに応答した居住者が来訪者との間で通話を成立させるための居室親機２と、地震または津波等の自然災害の発生により生成される災害情報を記憶し、この災害情報を、例えば、電話回線通信網、光ファイバ通信網等の外部ネットワークＬ2を経由して接続された居室親機２に出力するための例えば、気象庁に設置されたサーバ（以下、第１のサーバという。）３と、近隣に出没した変質者等の近隣不審者情報を記憶し、この近隣不審者情報を、外部ネットワークＬ2を経由して接続された居室親機２に出力するための例えば、学校、教育委員会、警備・管理会社に設置されたサーバ（以下、第２のサーバという。）４と、親機／点火機器ラインＬ3を経由して接続された居室親機２の制御により消火されるガス式および／または電熱式の点火機器５と、親機／照明灯ラインＬ4を経由して接続された居室親機２の制御により点灯（点滅）／消灯される照明灯６と、親機／ブラインドラインＬ5を経由して接続された居室親機２の制御により上昇／下降される例えば、住戸窓に設置されたブラインド７と、親機／電気錠ラインＬ5を経由して接続された居室親機２の制御により施錠／解錠される例えば、玄関ドアに設置された電気錠８とを有している。
【００１９】
玄関子機１には、子機操作部１００、カメラ１０１、子機マイク１０２および子機スピーカ１０３が備えられている。
【００２０】
この玄関子機１において、子機操作部１００は、来訪者が居住者を呼び出すために所定の呼出操作を行うものである。また、子機操作部１００としては、例えば、呼出ボタンが好適とされる。
【００２１】
カメラ１０１は、子機操作部１００を使用して所定の呼出操作を行った来訪者の映像や玄関の周囲近傍の映像（監視映像を含む。）を撮像するためのものである。このカメラ１０１としては、例えば、ＣＣＤ、ＣＭＯＳ等の各種の撮像素子が好適とされる。
【００２２】
子機マイク１０２および子機スピーカ１０３は、子機操作部１００を使用して所定の呼出操作を行った来訪者が居住者との間で通話を成立させるための音声（送話音声、受話音声）を入出力するものである。また、子機スピーカ１０３は、前述の通話機能（受話機能）のみならず、地震または津波等の自然災害の発生により生成される災害情報を住戸外に警報移報するための警報音（音声メッセージを含む。）、近隣に出没した変質者等の近隣不審者情報を住戸外に警報移報するための警報音（音声メッセージを含む。）をそれぞれ鳴動することもできる。
【００２３】
また、居室親機２には、モニタ２００、親機スピーカ２０１、親機マイク２０２および親機操作部２０３が備えられている。
【００２４】
この居室親機２において、モニタ２００は、玄関子機１の子機操作部１００を使用して所定の呼出操作を行った来訪者からの呼び出しがある旨の呼出情報を表示するとともに、玄関子機１のカメラ１０１にて撮像された映像を出画するためのものである。また、モニタ２００は、地震または津波等の自然災害の発生により生成される災害情報の基本情報、或いは当該災害情報の詳細情報、近隣に出没した変質者等の近隣不審者情報をそれぞれ表示することができる。なお、モニタ２００としては、例えば、ＬＣＤ、有機ＥＬディスプレイ等の各種のディスプレイが好適とされる。
【００２５】
親機スピーカ２０１は、玄関子機１の子機操作部１００を使用して所定の呼出操作を行った来訪者からの呼び出しがある旨の呼出音（音声メッセージを含む。）を放音するとともに、居住者が来訪者との間で通話を成立させるための音声（受話音声）を出力するものである。また、親機スピーカ２０１は、前述の呼出報知機能および通話機能（受話機能）のみならず、地震または津波等の自然災害の発生により生成される災害情報を住戸内に警報発報するための警報音（音声メッセージを含む。）、近隣に出没した変質者等の近隣不審者情報を住戸内に警報発報するための警報音（音声メッセージを含む。）をそれぞれ鳴動することができる。
【００２６】
親機マイク２０２は、居住者が来訪者との間で通話を成立させるための音声（送話音声）を入力するものである。
【００２７】
親機操作部２０３は、玄関子機１の子機操作部１００を使用して所定の呼出操作を行った来訪者からの呼び出しを確認した居住者による所定の応答操操作、予め施錠されている電気錠８を解錠させるための所定の解錠操作、モニタ２００の表示を切り替えるための所定の画面切替操作がそれぞれ行われるものである。この親機操作部２０３としては、例えば、通話ボタン、解錠ボタン、画面切替ボタン等の各種の操作ボタンやモニタ２００の前面に配置されたタッチパネル等が好適とされる。
【００２８】
図２は、本発明の実施例によるインターホンシステムにおいて、居室親機２の具体的な構成を示すブロック図である。
【００２９】
図２に示す居室親機２には、前述のモニタ２００、親機スピーカ２０１、親機マイク２０２および親機操作部２０３と、映像処理回路２０４と、通話回路２０５と、ＣＰＵ２０６と、６つのインターフェース（以下、それぞれ子機側Ｉ／Ｆ、サーバ側Ｉ／Ｆ、点火機器側Ｉ／Ｆ、照明灯側Ｉ／Ｆ、ブラインド側Ｉ／Ｆ、電気錠側Ｉ／Ｆという。）２０７、２０８、２０９、２１０、２１１、２１２とが備えられている。
【００３０】
この居室親機２において、映像処理回路２０４は、玄関子機１のカメラ１０１にて撮像された映像であり、子機／親機ラインＬ1を経由して伝送されてくる映像信号を信号処理、例えば、ＦＭ復調してモニタ２００に出画させるためのものである。
【００３１】
通話回路２０５は、親機マイク２０２に入力された居住者の音声（送話音声）である電気信号の音声信号を４線／２線変換や増幅するとともに、玄関子機１から子機／親機ラインＬ1を経由して伝送されてくる来訪者の音声（受話音声）である電気信号の音声信号を２線／４線変換や増幅して親機スピーカ２０１に出力するためのものである。
【００３２】
ＣＰＵ２０６は、当該居室親機の構成各部／回路をそれぞれ制御するためのものである。具体的な制御としては、例えば、モニタ２００、映像処理回路２０４および通話回路２０５へのそれぞれの駆動制御、モニタ２００を使用した呼出報知制御または警報発報制御、親機スピーカ２０１を使用した呼出報知制御または警報発報制御、親機操作部２０３を使用して行われる各種操作の検出、玄関子機１への警報移報制御、点火機器５へのガスおよび／または電熱の供給遮断制御、照明灯６への点灯（点滅）／消灯制御、ブラインド７への上昇／下降制御、電気錠８への施錠／解錠制御が行われる。
【００３３】
子機側Ｉ／Ｆ２０７、サーバ側Ｉ／Ｆ２０８、点火機器側Ｉ／Ｆ２０９、照明灯側Ｉ／Ｆ２１０、ブラインド側Ｉ／Ｆ２１１、電気錠側Ｉ／Ｆ２１２は、自Ｉ／Ｆに接続された当該各部／回路と当該ラインとの間を接続して、所定の信号伝送路（通話路）をそれぞれ形成するためのものである。
【００３４】
なお、居室親機２において、住戸内に在室中の居住者による通話手段は、前述の親機マイク２０２および親機スピーカ２０１を使用した通話、すなわち、拡声通話に限定されるものではなく、ハンドセット（図示せず。）を使用した通話手段も好適とされる。このハンドセットを使用するにあたっては、親機マイク２０２を不要にすることもできる。
【００３５】
また、居室親機２の構成各部／回路として、インターフェースは６つ（２０７、２０８、２０９、２１０、２１１、２１２）に限定されるものではなく、単一のインターフェースを使用することもできる。
【００３６】
このように構成された本発明の実施例によるインターホンシステムにおいて、以下、具体的な動作について説明する。なお、玄関子機１が設置された玄関に居る来訪者が、居室親機２が設置された住戸内に在室中の居住者を呼び出して通話を成立させる動作は、既に公開されているインターホンシステム等の各種のインターホン技術において公知であるため、説明は省略するものとする。
【００３７】
本発明の実施例における第１の動作として、地震または津波等の自然災害が発生すると、例えば、気象庁に設置された図１および図２に示す第１のサーバ３に地震情報Ｓ1または津波情報Ｓ2等の災害情報が記憶されるとともに、この地震情報Ｓ1または津波情報Ｓ2は、第１のサーバ３から外部ネットワークＬ2、居室親機２のサーバ側Ｉ／Ｆ２０８を経由してＣＰＵ２０６へと伝送される。
【００３８】
居室親機２のＣＰＵ２０６は、第１のサーバ３から伝送されてきた地震情報Ｓ1または津波情報Ｓ2等の災害情報を受信すると、受信された災害情報の基本情報、例えば、「地震が発生しました」または「津波が発生しました」のような文字メッセージを、画面サイズが比較的小さいとされるモニタ２００に大きなフォントサイズの状態で表示させるとともに、同様な内容である例えば、「ブーブー、地震です！！」または「ブーブー、津波です！！」のような警報音（音声メッセージを含む。）を親機スピーカ２０１から鳴動させて警報発報を行うことができる。この警報発報によって、住戸内に在室中の居住者は、地震または津波等の自然災害が発生した場合の基本情報を確認するにあたり、視聴性が高められる。
【００３９】
なお、地震の発生の警報発報を居室親機２にて行うにあたっては、地震波を構成するＰ波およびＳ波はそれぞれ伝達速度が遅く、速度が早いとされるＰ波でも一般的な伝達速度は５ｋｍ／ｓであるため、震源地から５０ｋｍほど離れた場合、１０秒ほど早く地震情報Ｓ1を居室親機２のＣＰＵ２０６に伝送することができ、地震の発生直後の警報発報が可能となる。
【００４０】
また、居室親機２のＣＰＵ２０６は、親機スピーカ２０１から鳴動させた地震または津波の発生等を示す警報音（音声メッセージを含む。）について、子機側Ｉ／Ｆ２０７、子機／親機ラインＬ1を経由して玄関子機１に出力し、子機スピーカ１０３から同様に鳴動させて警報移報を行うこともできる。
【００４１】
また、居室親機２のモニタ２００に前述の基本情報が表示されている場合において、住戸内に在室中の居住者が親機操作部２０３を使用して所定の画面切替操作を行うと、この操作を検出したＣＰＵ２０６は、モニタ２００の表示を基本情報から詳細情報に切り替えることができる。具体的には、例えば、大きなフォントサイズのまま「地震発生の時刻：午前Ａ時Ｂ分、震源地：Ｃ県Ｄ市、地震の規模：マグニチュードＥ」のような文字メッセージまたは「津波発生の時刻：午後Ｆ時Ｇ分、発生地：Ｈ沖、津波到達の予想時刻：午後Ｉ時Ｊ分」のような文字メッセージに切り替えて表示させることができる。この警報発報によって、住戸内に在室中の居住者は、地震または津波等の自然災害が発生した場合の詳細情報を、視覚を通じて容易に確認することができる。
【００４２】
また、居室親機２のＣＰＵ２０６は、第１のサーバ３から伝送されてきた地震情報Ｓ1または津波情報Ｓ2等の災害情報を受信すると、点火機器５へのガスおよび／または電熱の供給を遮断させるための消火用信号Ｓ3を生成する。この消火用信号Ｓ3は、ＣＰＵ２０６から点火機器側Ｉ／Ｆ２０９、親機／点火機器ラインＬ3を経由して点火機器５へと伝送される。
【００４３】
点火機器５は、居室親機２のＣＰＵ２０６から伝送されてきた消火用信号Ｓ3を受信すると、点火に必要なガスおよび／または電熱の供給を遮断することにより、地震または津波等の自然災害が発生した場合、火事の発生を未然に防止でき、住戸内に在室中の居住者にとっては、安全性が高められる。
【００４４】
さらに、居室親機２のＣＰＵ２０６は、第１のサーバ３から伝送されてきた地震情報Ｓ1または津波情報Ｓ2等の災害情報を受信すると、照明灯６を点灯させるための避難用信号（以下、第１の避難用信号という。）Ｓ4、ブラインド７を上昇させるための避難用信号（以下、第２の避難用信号という。）Ｓ5、電気錠８を解錠させるための避難用信号（以下、第３の避難用信号という。）Ｓ6をそれぞれ生成する。これら第１乃至第３の各避難用信号Ｓ4、Ｓ5、Ｓ6のうち、第１の避難用信号Ｓ4は、ＣＰＵ２０６から照明灯側Ｉ／Ｆ２１０、親機／照明灯ラインＬ4を経由して照明灯６へと伝送される。また、第２の避難用信号Ｓ5は、ＣＰＵ２０６からブラインド側Ｉ／Ｆ２１１、親機／ブラインドラインＬ5を経由してブラインド７へと伝送される。さらに、第３の避難用信号Ｓ6は、ＣＰＵ２０６から電気錠側Ｉ／Ｆ２１２、親機／電気錠ラインＬ6を経由して電気錠８へと伝送される。
【００４５】
照明灯６は、居室親機２のＣＰＵ２０６から伝送されてきた第１の避難用信号Ｓ4を受信すると、予め点灯されていた場合にはその点灯状態を保持する一方、予め消灯されていた場合には点灯させることにより、住戸内に在室中の居住者にとっては、地震または津波等の自然災害が発生した場合に必要とされる避難路の明るさを確保できるため、避難誘導の利便性が高められる。
【００４６】
ブラインド７は、居室親機２のＣＰＵ２０６から伝送されてきた第２の避難用信号Ｓ5を受信すると、予め上昇されていた場合にはその上昇状態を保持する一方、予め下降されていた場合には上昇させることにより、住戸内に在室中の居住者にとっては、居住者が住戸内から住戸外に避難する際に必要とされる避難路として、住戸窓から住戸外の様子を確認できるため、避難誘導の利便性が高められる。
【００４７】
電気錠８は、居室親機２のＣＰＵ２０６から伝送されてきた第３の避難用信号Ｓ6を受信すると、予め解錠されていた場合にはその解錠状態を保持する一方、予め施錠されていた場合には解錠させることにより、住戸内に在室中の居住者にとっては、居住者が住戸内から住戸外に避難する際に必要とされる避難路として、電気錠８が解錠された玄関ドアを経由した避難路を確保できるため、避難誘導の利便性が高められる。
【００４８】
前述までの説明から明らかなように、本発明の実施例における第１の動作によれば、地震または津波等の自然災害の発生について居室親機２にて警報発報を行う際の視聴性、居住者の安全性および避難誘導の利便性をそれぞれ高めることができる。
【００４９】
次に、本発明の実施例における第２の動作として、近隣に変質者等の不審者が出没すると、通報を受けた例えば、学校、教育委員会、警備・管理会社に設置された図１および図２に示す第２のサーバ４に近隣不審者情報Ｓ7が記憶されるとともに、この近隣不審者情報Ｓ7は、第２のサーバ４から外部ネットワークＬ2、居室親機２のサーバ側Ｉ／Ｆ２０８を経由してＣＰＵ２０６へと伝送される。
【００５０】
居室親機２のＣＰＵ２０６は、第２のサーバ４から伝送されてきた近隣不審者情報Ｓ7を受信すると、近隣に変質者等の不審者が出没している旨の例えば、「不審者出没」のような文字メッセージを、画面サイズが比較的小さいとされるモニタ２００に大きなフォントサイズで表示させるとともに、同様な内容である例えば、「ブーブー、不審者です！！」のような警報音（音声メッセージを含む。）を親機スピーカ２０１から鳴動させて警報発報を行うことができる。この警報発報によって、住戸内に在室中の居住者は、近隣に変質者等の不審者が出没している情報を確認するにあたり、視聴性が高められる。
【００５１】
また、居室親機２のＣＰＵ２０６は、親機スピーカ２０１から鳴動させた近隣に変質者等の不審者が出没している旨の警報音（音声メッセージを含む。）について、子機側Ｉ／Ｆ２０７、子機／親機ラインＬ1を経由して玄関子機１に出力し、子機スピーカ１０３から同様に鳴動させて警報移報を行うこともできる。
【００５２】
さらに、居室親機２のＣＰＵ２０６は、第２のサーバ４から伝送されてきた近隣不審者情報Ｓ7を受信すると、照明灯６を消灯させるための居住者保護用信号（以下、第１の居住者保護用信号という。）Ｓ8、ブラインド７を下降させるための居住者保護用信号（以下、第２の居住者保護用信号という。）Ｓ9、電気錠８を施錠させるための居住者保護用信号（以下、第３の居住者保護用信号という。）Ｓ10をそれぞれ生成する。これら第１乃至第３の各居住者保護用信号Ｓ8、Ｓ9、Ｓ10のうち、第１の居住者保護用信号Ｓ8は、前述の第１の避難用信号Ｓ4と同一の経路でＣＰＵ２０６から照明灯６へと伝送される。また、第２の居住者保護用信号Ｓ9は、前述の第２の避難用信号Ｓ5と同一の経路でＣＰＵ２０６からブラインド７へと伝送される。さらに、第３の居住者保護用信号Ｓ10は、前述の第３の避難用信号Ｓ6と同一の経路でＣＰＵ２０６から電気錠８へと伝送される。
【００５３】
照明灯６は、居室親機２のＣＰＵ２０６から伝送されてきた第１の居住者保護用信号Ｓ8を受信すると、予め消灯されていた場合にはその消灯状態を保持する一方、予め点灯されていた場合には消灯させることにより、近隣に出没している変質者等の不審者に対して居住者が住戸内に不在であるかと誤認させることができるため、住戸内に在室中の居住者にとっては、不審者から保護されて安全性が高められるばかりでなく、防犯性が高められる。
【００５４】
ブラインド７は、居室親機２のＣＰＵ２０６から伝送されてきた第２の居住者保護用信号Ｓ9を受信すると、予め下降されていた場合にはその下降状態を保持する一方、予め上昇されていた場合には下降させることにより、近隣に出没している変質者等の不審者による住戸内への覗き見みを防止できるため、住戸内に在室中の居住者にとっては、不審者から保護されて安全性が高められるばかりでなく、防犯性が高められる。
【００５５】
電気錠８は、居室親機２のＣＰＵ２０６から伝送されてきた第３の居住者保護用信号Ｓ10を受信すると、予め施錠されていた場合にはその施錠状態を保持する一方、予め解錠されていた場合には施錠させることにより、近隣に出没している変質者等の不審者による玄関ドアを経由して住戸内への侵入を防止できるため、住戸内に在室中の居住者にとっては、不審者から保護されて安全性が高められるばかりでなく、防犯性が高められる。
【００５６】
前述までの説明から明らかなように、本発明の実施例における第２の動作によれば、近隣に出没した変質者等の不審者からの居住者の保護による安全性および防犯性をそれぞれ高めることができる。
【００５７】
なお、本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。具体的には、例えば、玄関に設置される玄関子機として複数の玄関子機と、住戸内に設置される居室親機として複数の居室親機とを有するインターホンシステムに採用できる。
【図面の簡単な説明】
【００５８】
【図１】本発明の実施例によるインターホンシステムの全体構成を示すシステム説明図。
【図２】本発明の実施例によるインターホンシステムにおいて、居室親機の具体的な構成を示すブロック図。
【符号の説明】
【００５９】
１……玄関子機
１０１……カメラ
１０２……子機マイク
１０３……子機スピーカ
２……居室親機
２００……モニタ
２０１……親機スピーカ
２０２……親機マイク
２０３……親機操作部
２０６……ＣＰＵ
６……照明灯
７……ブラインド
８……電気錠
Ｌ2……外部ネットワーク
Ｓ1……地震情報
Ｓ2……津波情報
Ｓ3……消火用信号
Ｓ4、Ｓ5、Ｓ6……第１乃至第３の各避難用信号（避難用信号）
Ｓ7……近隣不審者情報
Ｓ8、Ｓ9、Ｓ10……第１乃至第３の各居住者保護用信号（居住者保護用信号）
【図１】
2007293667.tif 000003
【図２】
2007293667.tif 000004